(57)【要約】【課題】女性の胸部のふくらみに応じたおはしょりを予め身頃に形成することにより、容易に着用することが可能であり、且つ、着用後の見栄えが良好な女性用着物を提供する。【解決手段】女性用着物Ｘは、前身頃１８に設けられ、着物前面の幅中心から外側へ向かって斜め上方へ延びる傾斜折れ線４６に沿って折り畳まれ、傾斜折れ線４６の裏側が前記前身頃１８に縫い付けられてなる前側おはしょり部１４ａと、後身頃１７に設けられ、着物背面の幅中心から外側へ向かって斜め下方へ延びる傾斜折れ線４８に沿って折り畳まれ、傾斜折れ線４８の裏側が前記後身頃に縫い付けられてなる後側おはしょり部１４ｂと、を有する。前側おはしょり部１４ａ及び後側おはしょり部１４ｂが形成された状態で前身頃１８から肩山４１を経て後身頃１７に至る全体が概ね直線状に形成されている。【選択図】図３
2018096008.tif 000002
【特許請求の範囲】
【請求項１】
女性が着用する女性用着物であって、
前身頃に設けられ、着物前面の幅中心から外側へ向かって斜め上方へ延びる前側折れ線に沿って折り畳まれ、前記前側折れ線の裏側が前記前身頃に縫い付けられることによって前記前身頃に形成された前側おはしょり部と、
後身頃に設けられ、着物背面の幅中心から外側へ向かって斜め下方へ延びる後側折れ線に沿って折り畳まれ、前記後側折れ線の裏側が前記後身頃に縫い付けられることによって前記後身頃に形成された後側おはしょり部と、を有し、
前記前側おはしょり部及び前記後側おはしょり部が形成された状態で前記前身頃から肩山を経て前記後身頃に至る全体が概ね直線状に形成されている女性用着物。
【請求項２】
前記前身頃に連続するおくみに、前記前側おはしょり部が連続して形成されている請求項１に記載の女性用着物。
【請求項３】
前記前側折れ線の傾斜度は、前記後側折れ線の傾斜度よりも大きい請求項１又は２に記載の女性用着物。
【請求項４】
前記前側折れ線及び前記後側折れ線は、前記前側おはしょり部から前記後側おはしょり部に渡って連続する湾曲線である請求項１から３のいずれかに記載の女性用着物。
【請求項５】
前記前側おはしょり部及び前記後側おはしょり部が形成された状態で、下前の棲が上前の棲よりも裾上げされている請求項１から４のいずれかに記載の女性用着物。
【発明の詳細な説明】
【技術分野】
【０００１】
本発明は、作り付けのおはしょり（お端折り）を備える女性用着物に関するものである。
【背景技術】
【０００２】
最近の百貨店の呉服売り場や町の呉服店をみると、目を覆うばかりの売り上げ不振ぶりである。その理由として、（１）和服（以下「着物」という。）が高価であること、（２）着物のデザインが現代の若者に受け入れられないこと、（３）着付け教室で習わなければ着物を一人で着ることができないこと、があげられる。
【０００３】
このうち、（３）は特に深刻である。すなわち、着物は、女性の身幅よりもかなり幅広でかつ着丈よりもかなり長尺に作られており、洋服と異なりフィットさせずに平面的に縫製されている。また、着物を着用したときの見栄えをよくするために、その着物の下に、肌襦袢、裾よけ、長襦袢をつけ、さらに体型の補正のために、腰部に晒しを巻き、胸部、後腰にタオルなどで円筒形になるように何重にも手をかけなくてはならない。
【０００４】
その上で着物を着るのであるが、着物はほとんどが絹地であり、全体がかなり重くなっている。それを、鏡を見ながら下前、上前の裾線を決め、さらに、身八ツ口から両手を入れて、おはしょりを形よく折らなければならない。このことは、着物を日常的に着慣れていない現代の女性にとっては非常に面倒である。
【０００５】
そこで、簡易な着物が種々考案された。例えば特許文献１には、上前身頃の共衿となる１側面と前記上前身頃のおくみから延びる１辺とで鋭角を成すよう前記共衿の先端に衿先を形成し、該衿先の裏面に一方の面ファスナーを固定し、下前身頃の共衿から前記上前身頃の前巾の３／４程度を残す部位までを連続的に縫着しておはしょりを形成し、右後身頃に位置する前記おはしょりの内側には他方の面ファスナーを固定し、前記共衿の衿肩から約１尺４寸〜１尺５寸程度下がった位置の衿幅を所定の幅に折り込み、内側に折り込まれた共衿に紐の一端を縫着し、該紐を案内する案内部を背縫い上の衿付から約５寸５部程下がった位置に形成した着物が開示されている。
【０００６】
しかしながら、従来の着物では、その着物を着用した人の体型によっては、下前、上前の裾線を合わせにくくなってしまうという問題がある。この問題を解決するために、本願発明者は、おはしょりの上部を身頃に予め縫い付けて作り付けのおはしょりを身頃に形成した状態で、下前の棲を上前の棲よりも裾上げしておいた着物本体を備える女性用の着物を考案した（特許文献２参照）。
【先行技術文献】
【特許文献】
【０００７】
【特許文献１】実開平７−２４１１号公報
【特許文献２】登録実用新案第３１７７３１７号公報
【発明の概要】
【発明が解決しようとする課題】
【０００８】
しかしながら、作り付けのおはしょりが形成された上述の各特許文献に記載の着物は、直線上の長い反物を無駄なく使うという着物本来の構造を逸脱しないで考案されたものである。そのため、従来の着物は、直線状に長く裁断された身頃を折り上げておはしょりを形成し、その上部を身頃に縫い付けている。このため、おはしょりの上部は、横一線となるように身頃に縫い付けられている。この場合、作り付けのおはしょりが設けられているため、おはしょりを作るために前身頃及び後身頃をたくし上げる必要はなくなる。しかしながら、おはしょりは、本来、着物の着丈を着用者の体型に合わせて調整するためにたくし上げる部分である。したがって、女性の場合は、胸部のふくらみに応じた形状となるようにおはしょりの形状を調整する必要があり、作り付けのおはしょりが形成された従来の着物であっても、この面倒な調整は必要である。
【０００９】
本発明の目的は、女性の胸部のふくらみに応じたおはしょりを予め身頃に形成することにより、容易に着用することが可能であり、且つ、着用後の見栄えが良好な女性用着物を提供することにある。
【課題を解決するための手段】
【００１０】
本発明は、女性が着用する女性用着物である。前記女性用着物は、前身頃に設けられ、着物前面の幅中心から外側へ向かって斜め上方へ延びる前側折れ線に沿って折り畳まれ、前記前側折れ線の裏側が前記前身頃に縫い付けられることによって前記前身頃に形成された前側おはしょり部と、後身頃に設けられ、着物背面の幅中心から外側へ向かって斜め下方へ延びる後側折れ線に沿って折り畳まれ、前記後側折れ線の裏側が前記後身頃に縫い付けられることによって前記後身頃に形成された後側おはしょり部と、を有する。前記前側おはしょり部及び前記後側おはしょり部が形成された状態で前記前身頃から肩山を経て前記後身頃に至る全体が概ね直線状に形成されている。
【００１１】
本発明によれば、女性の胸部から下方にかけての体のラインに対応した形状におはしょりが形成されるので、着用者は、おはしょりを調整することなく或いはおはしょりを微調整するだけで容易に着物を着用することが可能であり、且つ、着用後の着物の見栄え及び着用者の着姿が良好となる。また、見栄えを損なうことなく容易に着物を着用することが可能となるため、着用者は、洋服感覚で着物を着用することができる。
【００１２】
また、前記前身頃に連続するおくみに、前記前側おはしょり部が連続して形成されていることが好ましい。
【００１３】
これにより、おくみを含む前身頃全体のおはしょりが形成される。
【００１４】
また、前記前側折れ線の傾斜度は、前記後側折れ線の傾斜度よりも大きいことが好ましい。
【００１５】
これにより、女性の体の前面と体の後面のそれぞれのボディラインに対応した各おはしょり部を形成することが可能である。
【００１６】
また、前記前側折れ線及び前記後側折れ線は、前記前側おはしょり部から前記後側おはしょり部に渡って連続する湾曲線であることが好ましい。
【００１７】
これにより、前側おはしょり部及び後側おはしょり部それぞれにおいて段差が生じず、女性の体型の曲線に応じたおはしょりを形成することができる。
【００１８】
また、前記前側おはしょり部及び前記後側おはしょり部が形成された状態で、下前の棲が上前の棲よりも裾上げされていることが好ましい。
【００１９】
これにより、下前と上前との裾線を合わせる必要がなくなり、着物の着用が更に容易となる。
【発明の効果】
【００２０】
本発明によれば、女性の胸部のふくらみに応じたおはしょりを予め身頃に形成することにより、容易に着物を着用することが可能であり、且つ、着用後の見栄えが良好となる。
【図面の簡単な説明】
【００２１】
【図１】図１は、本考案の一実施形態に係る着物Ｘの全体構成を示す斜視図である。
【図２】図２は、着物Ｘの本体１の説明図である。
【図３】図３は、着物Ｘの身頃を展開した展開図である。
【図４】図４は、着物Ｘの身頃を展開しておはしょり部分を折りたたんだ状態を示す展開図である。
【発明を実施するための形態】
【００２２】
以下、添付図を参照しながら、本発明の実施形態の一例である女性用着物Ｘ（以下「着物Ｘ」と略称する。）について説明する。以下の実施形態は、本発明を具体化した一例であって、本発明の技術的範囲を限定するものではない。
【００２３】
図１は本考案の一実施形態に係る着物Ｘの全体構成を示す斜視図、図２はその本体１を展開した状態の背面図である。本考案の一実施形態に係る着物Ｘは、図１に示すように、女性用の着物Ｘであって、本体１と、帯３とを備えている。図１には、着物Ｘの内側に補整下着２を着用した状態が示されている。このうちの本体１は、右側の身頃、左側の身頃、おくみ１９、袖１２、後ろ衿１１などに対応する部分の型紙を事前に作成し、その型紙から各部分の布地を裁断し、その後に各部分の布地を縫い合わせて縫製することにより作製される。本体１は、図２に示すように、後ろ衿１１と、袖１２と、畳まれたおはしょり１４と、衿先１５と、下前１６ａと、上前１６ｂと、後身頃１７と、前身頃１８と、おくみ１９とからなっている。
【００２４】
ここで、後ろ衿１１から衿先１５までを衿といって、首の周りと胸部の位置にある部分に縫い付けた、細長い布の部分である。袖１２は、左右の腕を通す部分である。
【００２５】
身頃は、左右の前身頃１８と、左右の後身頃１７とをまとめて呼ぶものであり、その裁断方法により、右の身頃と左の身頃の２つの布で身頃が構成される。つまり、左前身頃１８ｂと左後身頃１７ｂとは、縫わなくても、着用者の肩に対応する肩山４１で繋がっている。右も同様であり、右前身頃１８ａと右後身頃１７ａとは、縫わなくても肩山４１で繋がっている。
【００２６】
前身頃１８は、袖１２を除いた部分の、空間的に前の部分であって、着用者の背中の反対側（着用者の前面側）を覆う部分である。この前身頃１８は、右側の右前身頃１８ａと、左側の左前身頃１８ｂとに分かれており、これら２つの布で構成されている。後身頃１７は、袖１２を除いた部分の、空間的に後ろ部分であって、着用者の背中を覆う部分である。後身頃１７は、基本的に背中心４２で縫い合わされるので、右側の右後身頃１７ａと、左側の左後身頃１７ｂの２つの布で構成されている。
【００２７】
おくみ１９は、袖１２を除いた部分の前の左の端と右の端にある。おくみ１９は、上は衿まで、下は着物Ｘの最下部まで続く、上下に細長い布の部分であって、前身頃１８に縫い付けられている。
【００２８】
上前１６ｂは、 袖１２を除いた部分の前の左(向かって右)にある。この上前１６ｂは、左前身頃１８ｂ、左のおくみ１９、そして左の衿の一部を示すものである。着物Ｘを着るときに右前に着るので、左のおくみ１９の方が右のおくみ１９よりも空間的に前に位置することになる。着物Ｘを着た人から見て肌から遠い方を「上」と呼ぶ。そのため、左のおくみ１９と、左前身頃１８ｂなどは上前１６ｂと呼ばれている。
【００２９】
下前１６ａは、袖１２を除いた部分の前の右(向かって左)にある。この下前１６ａは、右前身頃１８ａ、右のおくみ１９、そして右の衿の一部を示すものである。着物Ｘを着るときに右前に着るので、右のおくみ１９のほうが左のおくみ１９よりも空間的に後ろに位置することになる。着物Ｘを着た人から見て外気に触れる服の表面から遠い方を「下」と呼ぶ。そのため、右のおくみ１９と、右前身頃１８ａなどを下前と呼んでいる。
【００３０】
おはしょり１４は、着丈より長くて余った布を腰の辺りでたくし上げて折り上げた部分をいう。本実施形態では、折りたたまれたおはしょり１４の上部１３の裏側が身頃縫い代に予め縫い付けられている。これにより、作り付けのおはしょり１４が着物Ｘに設けられる。
【００３１】
そして、おはしょり１４の上部１３を身頃縫い代に予め縫い付けた状態で、下前１６ａの褄１６ａ１の裾線を１５〜７ｃｍ上げるとともに、上前１６ｂの褄１６ｂ１の裾線を５〜７ｃｍ上げることにより、下前１６ａの褄１６ａ１を上前１６ｂの褄１６ｂ１よりも裾上げ処理をする。
【００３２】
このようにして、おはしょり１４と、褄１６ａ１，１６ｂ１の処理とをした本体１をできあがり通りに仮縫いをしてから、前身頃１８の上下の身幅の余り部分１９ａ（図１参照）を除去する。後身頃１７の上下の身幅の余り部分（図示せず。）についても除去する。このとき、上身頃は着物Ｘ本体の自然できれいに見えるゆとりは残しておく。また、下は裾広がりにならないようにやはり余り部分１９ｂ（図１参照）を除去する。
【００３３】
ところで、従来の着物をなかなか思い通りに着用できなかったのは、女性の体型の凹凸によるところが大きい。特に、おはしょりは、本来、着物の着丈を着用者の体型に合わせて調整するためにたくし上げる部分であり、女性の場合は、着物の着用時に、胸部のふくらみに応じた形状となるようにおはしょりの形状を調整する必要がある。このようなおはしょりの調整は極めて面倒であり、着用者１人では困難な作業である。かかる調整は、着物の着付けにおいて最も難しく、上述した作り付けのおはしょり１４が設けられた着物においても必要とされる作業である。このため、本実施形態においては、容易に着物Ｘを着用することが可能であり、且つ、着用後の着物Ｘの見栄えが良好となるように、着物Ｘには、予め身頃におはしょり１４が形成されており、そのおはしょり１４は、女性の胸部のふくらみに応じた形状に形成されている。
【００３４】
以下、図３及び図４を参照して、おはしょり１４の構成について詳細に説明する。ここで、図３は、着物Ｘの身頃を展開した展開図である。図８は、着物Ｘの身頃を展開しておはしょり１４を折りたたんだ状態を示す展開図である。図９は、一般的な着物を展開した展開図である。
【００３５】
図３に示すように、右前身頃１８ａ及び左前身頃１８ｂそれぞれに、おはしょり１４を形成するための折り畳み部４５が形成されている。折り畳み部４５は、折り畳み部４５の概ね中央に位置する仮想の傾斜折れ線４６（前側折れ線に相当）に沿って折りたたまれる部分である。傾斜折れ線４６は、着物Ｘを前面からみて、着物Ｘの前面の幅中心から左右外側へ向かって斜め上方へ延びる折れ線である。傾斜折れ線４６に沿って各折り畳み部４５が折りたたまれることによって、前身頃１８の前側おはしょり部１４ａが形成される。折り畳み部４５が折り畳まれた状態で、傾斜折れ線４６は、おはしょり１４の上部１３のトップ位置に配置される。また、折り畳み部４５が折り畳まれた状態で、図４に示すように、前身頃１８が概ね直線状、つまり真っ直ぐになる。この傾斜折れ線４６の裏側が前身頃１８の身頃縫い代に縫い付けられる。これにより、おはしょり１４のうち、着物Ｘの前面に位置する前側おはしょり部１４ａが形成される。また、本実施形態では、折り畳み部４５が折り畳まれた状態で下前１６ａの褄１６ａ１が横一線となるように、下前１６ａの褄１６ａ１が傾斜状に形成されている。具体的には、下前１６ａの褄１６ａ１の裾線が、右前身頃１８ａの傾斜折れ線４６と概ね同じ傾斜度であって、且つ、傾斜折れ線４６とは逆向きに傾斜している。また、折り畳み部４５が折り畳まれた状態で上前１６ｂの褄１６ｂ１が横一線となるように、上前１６ｂの褄１６ｂ１が傾斜状に形成されている。具体的には、上前１６ｂの褄１６ｂ１の裾線が、左前身頃１８ｂの傾斜折れ線４６と概ね同じ傾斜度であって、且つ、傾斜折れ線４６とは逆向きに傾斜している。
【００３６】
なお、右前身頃１８ａ及び左前身頃１８ｂそれぞれに連続する各おくみ１９には、前側おはしょり部１４ａを構成する上述の折り畳み部４５が連続して形成されている。つまり、折り畳み部４５は、おくみ１９から前身頃１８に渡って形成されている。また、各おくみ１９の裾線も、褄１６ａ１の裾線と同様に傾斜している。
【００３７】
また、右後身頃１７ａ及び左後身頃１７ｂそれぞれに、おはしょり１４を形成するための折り畳み部４７が形成されている。折り畳み部４７は、折り畳み部４７の概ね中央に位置する仮想の傾斜折れ線４８（後側折れ線に相当）に沿って折りたたまれる部分である。傾斜折れ線４８は、着物Ｘを背面から見て、着物Ｘの背面の幅中心である背中心４２から左右外側へ向かって斜め下方へ延びる折れ線である。傾斜折れ線４８に沿って各折り畳み部４７が折りたたまれることによって、後身頃１７の後側おはしょり部１４ｂが形成される。折り畳み部４７が折り畳まれた状態で、傾斜折れ線４８は、おはしょり１４の上部１３のトップ位置に配置される。また、折り畳み部４７が折り畳まれた状態で、図４に示すように、後身頃１７が概ね直線状、つまり真っ直ぐになる。この傾斜折れ線４８の裏側が後身頃１７の身頃縫い代に縫い付けられる。これにより、おはしょり１４のうち、着物Ｘの背面に位置する後側おはしょり部１４ｂが形成される。また、本実施形態では、折り畳み部４７が折り畳まれた状態で後身頃１７の下端部の褄１７１が横一線となるように、右後身頃１７ａの褄１７ａ１が傾斜状に形成されている。具体的には、褄１７ａ１の裾線が、右後身頃１７ａの傾斜折れ線４８と概ね同じ傾斜度であって、且つ、傾斜折れ線４８とは逆向きに傾斜している。また、左後身頃１７ｂの褄１７ｂ１が傾斜状に形成されている。具体的には、褄１７ｂ１の裾線が、左後身頃１７ｂの傾斜折れ線４８と概ね同じ傾斜度であって、且つ、傾斜折れ線４８とは逆向きに傾斜している。
【００３８】
図３に示されるように、傾斜折れ線４６と傾斜折れ線４８とを比較すると、前側おはしょり部１４ａの傾斜折れ線４６の傾斜度は、後側おはしょり部１４ｂの傾斜折れ線４８の傾斜度よりも大きくされている。
【００３９】
本実施形態では、前身頃１８と後身頃１７とが縫い合わされたときに、傾斜折れ線４６と傾斜折れ線４８とが連続するように、折り畳み部４５，４７の位置や、各傾斜折れ線４６，４８の位置が定められている。これにより、着物Ｘにおいて、前身頃１８から後身頃１７にかけて、女性の胸の膨らみにフィットするきれいな形の作り付けのおはしょり１４が形成される。このようなおはしょり１４であれば、前身頃１８の身幅の余り部分１９ａ及び後身頃１７の身幅の余り部分は、生じたとしても微小である。また、下前の余り部分１９ｂも、生じたとしても微小である。ここで、図３では、各傾斜折れ線４６，４８が直線状のものが示されているが、各傾斜折れ線４６，４８は直線状のものに限られない。例えば、各傾斜折れ線４６，４８は、前側おはしょり部１４ａから後側おはしょり部１４ｂに渡って連続する湾曲線であってもよい。具体的には、着物Ｘが着用された立ち姿において、各傾斜折れ線４６、４８が連続した状態で、すり鉢状に緩く湾曲した円弧形状の湾曲線であることが考えられる。この場合、前身頃１８の身幅の余り部分１９ａ及び後身頃１７の身幅の余り部分はほとんど生じず、また、下前の余り部分１９ｂもほとんど生じないため、着物Ｘの製作時にこれらの余り部分を除去する必要がない。
【００４０】
以上説明したように、本着物Ｘでは、おはしょり１４の上部１３が身頃に予め縫い付けられているため、着用者はおはしょり１４を作ることなく着物Ｘを着用することができる。また、上部１３が身頃に縫い付けられた状態で、下前１６ａの褄が上前１６ｂの褄よりも裾上げされているため、着用後に下前、上前の裾線を合わせにくくなってしまうということがない。更に、折り畳み部４５，４７が上述した傾斜度で折り畳まれることによっておはしょり１４が形成されているため、おはしょり１４は、女性の胸部から下方にかけてのボディライン、特に胸部の膨らみに対応した形状に形成される。このため、着用者は、胸部の膨らみに応じておはしょりを調整することなく、或いはおはしょり１４を微調整するだけで、容易に着物Ｘを着用することが可能になる。また、着用後の着物Ｘの見栄え及び着用者の着姿も良好となる。また、褄１６ａ１，１６ｂ１，１７１の裾線も上述したように傾斜させているため、上述のおはしょり１４を設けたとしても、褄１６ａ１，１６ｂ１，１７１の裾線が横一線となり、見栄えを損なうことはない。その結果、着用者は、見栄えを損なうことなく容易に着物Ｘを着用することができるため、洋服感覚で着物Ｘを着用することができる。
【００４１】
また、傾斜折れ線４６の傾斜度は、傾斜折れ線４８の傾斜度よりも大きいため、女性の体の前面と背面のそれぞれのボディラインに対応したおはしょり１４を形成することができる。
【００４２】
また、各傾斜折れ線４６，４８が、前側おはしょり部１４ａから後側おはしょり部１４ｂに渡って連続する湾曲線である場合は、女性の胸部において水平方向の膨らみの変化に応じたおはしょり１４が形成される。このため、着用者は、おはしょり１４を調整することなく自身の体型にフィットさせることができる。
【００４３】
なお、上述の実施形態では、おはしょり１４の折り畳み部４５，４７のサイズや傾斜角度などを特に限定していないが、前記サイズや傾斜角度などの要素は、女性の胸部の膨らみの程度に合わせて設定される。また、着物Ｘが既製品である場合は、複数の仮想的な体型を想定して、各仮想体型に応じて前記サイズや傾斜角度などの要素を設定すればよい。また、着物Ｘの内部に補整下着２を着用する場合は、補整下着２を着用した後の胸部の膨らみの程度に合わせて前記サイズや傾斜角度の要素などを設定すればよい。
【符号の説明】
【００４４】
Ｘ：着物Ｘ
１：本体
１１：後ろ衿
１２：袖
１３：おはしょりの上部
１４：おはしょり
１５：衿先
１６ａ：下前
１６ｂ：上前
１７：後身頃
１８：前身頃
１９：おくみ
１９ａ，１９ｂ：余り部分
４１：肩山
４２：背中心
４５，４７：折り畳み部
４６，４８：傾斜折れ線
【図１】
2018096008.tif 000003
【図２】
2018096008.tif 000004
【図３】
2018096008.tif 000005
【図４】
2018096008.tif 000006